【事件の表示】
　特許第５０３９８８３号に関する訂正審判事件について、次のとおり審決する。
【結　論】
　特許第５０３９８８３号に係る明細書、特許請求の範囲を本件審判請求書に添付された訂正明細書、特許請求の範囲のとおり一群の請求項ごとに訂正することを認める。
【理　由】
１　手続の経緯 
　本件審判請求に係る特許第５０３９８８３号（以下「本件特許」という。）は、平成１８年６月２８日に出願されたものであって、平成２４年７月２０日にその特許権の設定登録がなされ、平成２７年９月１８日に本件訂正審判の請求がなされたものである。
　 
２　請求の趣旨 
　本件審判の請求の趣旨は、本件特許の願書に添付した明細書、特許請求の範囲を審判請求書に添付した訂正明細書、特許請求の範囲のとおり一群の請求項ごとに訂正することを認めるとの審決を求めるものである（以下、本件特許の特許請求の範囲を「本件特許請求の範囲」といい、願書に添付した明細書、特許請求の範囲又は図面を「願書に添付した明細書等」という。また、下線部は訂正部分である。）。 
　
３　訂正の内容
（１）訂正事項１ 
　本件特許請求の範囲の請求項１における
「前記乱数抽籤により抽出された乱数値が前記第２数値範囲のみに含まれる数値であって、前記停止指令手段により前記所定の表示部における図柄の変動表示の停止が、前記所定の図柄範囲のうちの特定の図柄位置で指令された場合には、前記所定の図柄停止位置に前記第２図柄を停止する制御を行う一方で、前記所定の図柄範囲のうちの前記特定の図柄停止位置以外で指令された場合には、前記所定の図柄停止位置を除く図柄停止位置に前記第２図柄を停止する制御を行ない、」を、
「前記乱数抽籤により抽出された乱数値が前記第２数値範囲のみに含まれる数値であって、前記停止指令手段により前記所定の表示部における図柄の変動表示の停止が、前記所定の図柄範囲のうちの特定の図柄位置で指令された場合には、前記所定の図柄停止位置に前記第２図柄を停止する制御を行う一方で、前記所定の図柄範囲のうちの前記特定の図
柄位
　
（２）訂正事項２
　願書に添付した明細書の段落【００１０】の
「（１）　複数種類の図柄を変動表示すること及び停止表示することが可能な複数の表示部（例えば、後述の表示窓４Ｌ，４Ｃ，４Ｒなど）を有する図柄表示手段（例えば、後述のリール３Ｌ，３Ｃ，３Ｒ、後述の表示窓４Ｌ，４Ｃ，４Ｒなど）と、開始操作信号（例えば、後述のスタートスイッチ６Ｓ）に応じて、予め定めた複数の役の各々に対応する数値範囲（例えば、後述の乱数範囲など）の情報を有する当籤役決定情報（例えば、後述の内部抽籤テーブルなど）に基づいて、乱数抽籤（例えば、後述の図４７のステップＳ５により行なわれる乱数の抽出）により抽出された乱数値を含む数値範囲に対応する役を当籤役（例えば、後述の当籤役、後述の内部当籤役、後述の持越役など）として決定する当籤役決定手段（例えば、後述の内部抽籤処理を行なう手段、後述の主制御回路７１など）と、前記開始操作信号に応じて、前記図柄表示手段による図柄の変動表示を開始する開始制御手段（例えば、後述のモータ駆動回路３９、後述のステッピングモータ４９Ｌ，４９Ｃ，４９Ｒ、後述の主制御回路７１など）と、停止操作信号に応じて、対応する表示部における図柄の変動表示の停止を指令する停止指令手段（例えば、後述の停止スイッチ７ＬＳ，７ＣＳ，７ＲＳなど）と、前記停止指令手段による指令と前記当籤役決定手段により決定された当籤役とに基づいて前記図柄表示手段による図柄の変動表示を停止する停止制御手段（例えば、後述の停止制御処理を行なう手段、後述の主制御回路７１など）と、を備え、前記当籤役決定情報（例えば、後述の内部抽籤テーブルなど）は、第１の役（例えば、ＢＢ２）に対応する第１数値範囲の情報（例えば、一般遊技状態用内部抽籤テーブルの当籤番号１２に対応する数値範囲の情報など）と、第２の役（例えば、赤チェリーなど）に対応し、前記第１数値範囲と重複する範囲を有する第２数値範囲の情報（例えば、一般遊技状態用内部抽籤テーブルの当籤番号２に対応する数値範囲の情報など）と、第３の役（例えば、後述の桃チェリーなど）に対応し、前記第１数値範囲とは重複せず、前記第２数値範囲の一部と重複する第３数値範囲の情報（例えば、一般遊技状態用内部抽籤テーブルの当籤番号１に対応する数値範囲の情報など）と、を含み、前記停止制御手段は、前記乱数抽籤により抽出された乱数値が前記第１数値範囲と前記第２数値範囲との両方に含まれる数値又は前記第２数値範囲と前記第３数値範囲との両方に含まれる数値のいずれかであって（内部当籤役がＢＢ２＋赤チェリー又は桃チェリー＋赤チェリーのいずれかであって）、前記停止指令手段により所定の表示部（例えば、左の表示窓４Ｌなど）における図柄の変動表示の停止が所定の図柄範囲（例えば、１０番のベル〜１３番の赤チェリーの間）で指令された場合には、前記所定の表示部に予め定めた複数の図柄停止位置（例えば、後述の３つの図柄停止位置など）のうち所定の図柄停止位置（例えば、後述の中段の図柄停止位置など）に前記第２の役（例えば、後述の赤チェリーなど）に対応する第２図柄（例えば、“赤チェリー（図柄９８）”など）が必ず停止する制御を行ない、前記乱数抽籤により抽出された乱数値が前記第２数値範囲のみに含まれる数値であって（内部当籤役が赤チェリーであって）、前記停止指令手段により前記所定の表示部における図柄の変動表示の停止が、前記所定の図柄範囲のうちの特定の図柄位置（例えば、１３番の赤チェリー）で指令された場合には、前記所定の図柄停止位置に前記第２図柄を停止する制御を行う一方で、前記所定の図柄範囲のうちの前記特定の図柄停止位置（例えば、１０番のベル〜１２番の白７の間）で指令された場合には、前記所定の図柄停止位置を除く図柄停止位置（例えば、後述の上段の図柄停止位置など）に前記第２図柄を停止する制御を行ない、前記当籤役決定手段により前記第１の役（例えば、後述のＢＢ２など）が当籤役として決定され、この第１の役に対応する図柄組合せ（例えば、後述の“ドンちゃん−ドンちゃん−ドンちゃん”など）が前記図柄表示手段により停止表示されることを条件に、一般遊技状態からこの一般遊技状態よりも有利な特別遊技状態に移行する特別遊技状態移行手段（例えば、後述のＢＢ２作動処理を行なう手段、後述の主制御回路７１など）と、前記乱数抽籤により抽出された乱数値が前記第２数値範囲に含まれる数値である場合に、前記当籤役決定手段により決定された当籤役に前記第２の役が含まれることを報知する報知手段（例えば、小役告知型演出を行なう手段など）と、をさらに備えることを特徴とする遊技機。」を、
「（１）　複数種類の図柄を変動表示すること及び停止表示することが可能な複数の表示部（例えば、後述の表示窓４Ｌ，４Ｃ，４Ｒなど）を有する図柄表示手段（例えば、後述のリール３Ｌ，３Ｃ，３Ｒ、後述の表示窓４Ｌ，４Ｃ，４Ｒなど）と、開始操作信号（例えば、後述のスタートスイッチ６Ｓ）に応じて、予め定めた複数の役の各々に対応する数値範囲（例えば、後述の乱数範囲など）の情報を有する当籤役決定情報（例えば、後述の内部抽籤テーブルなど）に基づいて、乱数抽籤（例えば、後述の図４７のステップＳ５により行なわれる乱数の抽出）により抽出された乱数値を含む数値範囲に対応する役を当籤役（例えば、後述の当籤役、後述の内部当籤役、後述の持越役など）として決定する当籤役決定手段（例えば、後述の内部抽籤処理を行なう手段、後述の主制御回路７１など）と、前記開始操作信号に応じて、前記図柄表示手段による図柄の変動表示を開始する開始制御手段（例えば、後述のモータ駆動回路３９、後述のステッピングモータ４９Ｌ，４９Ｃ，４９Ｒ、後述の主制御回路７１など）と、停止操作信号に応じて、対応する表示部における図柄の変動表示の停止を指令する停止指令手段（例えば、後述の停止スイッチ７ＬＳ，７ＣＳ，７ＲＳなど）と、前記停止指令手段による指令と前記当籤役決定手段により決定された当籤役とに基づいて前記図柄表示手段による図柄の変動表示を停止する停止制御手段（例えば、後述の停止制御処理を行なう手段、後述の主制御回路７１など）と、を備え、前記当籤役決定情報（例えば、後述の内部抽籤テーブルなど）は、第１の役（例えば、ＢＢ２）に対応する第１数値範囲の情報（例えば、一般遊技状態用内部抽籤テーブルの当籤番号１２に対応する数値範囲の情報など）と、第２の役（例えば、赤チェリーなど）に対応し、前記第１数値範囲と重複する範囲を有する第２数値範囲の情報（例えば、一般遊技状態用内部抽籤テーブルの当籤番号２に対応する数値範囲の情報など）と、第３の役（例えば、後述の桃チェリーなど）に対応し、前記第１数値範囲とは重複せず、前記第２数値範囲の一部と重複する第３数値範囲の情報（例えば、一般遊技状態用内部抽籤テーブルの当籤番号１に対応する数値範囲の情報など）と、を含み、前記停止制御手段は、前記乱数抽籤により抽出された乱数値が前記第１数値範囲と前記第２数値範囲との両方に含まれる数値又は前記第２数値範囲と前記第３数値範囲との両方に含まれる数値のいずれかであって（内部当籤役がＢＢ２＋赤チェリー又は桃チェリー＋赤チェリーのいずれかであって）、前記停止指令手段により所定の表示部（例えば、左の表示窓４Ｌなど）における図柄の変動表示の停止が所定の図柄範囲（例えば、１０番のベル〜１３番の赤チェリーの間）で指令された場合には、前記所定の表示部に予め定めた複数の図柄停止位置（例えば、後述の３つの図柄停止位置など）のうち所定の図柄停止位置（例えば、後述の中段の図柄停止位置など）に前記第２の役（例えば、後述の赤チェリーなど）に対応する第２図柄（例えば、“赤チェリー（図柄９８）”など）が必ず停止する制御を行ない、前記乱数抽籤により抽出された乱数値が前記第２数値範囲のみに含まれる数値であって（内部当籤役が赤チェリーであって）、前記停止指令手段により前記所定の表示部における図柄の変動表示の停止が、前記所定の図柄範囲のうちの特定の図柄位置（例えば、１３番の赤チェリー）で指令された場合には、前記所定の図柄停止位置に前記第２図柄を停止する制御を行う一方で、前記所定の図柄範囲のうちの前記特定の図
柄位
と訂正する。
　
４　当審の判断 
（１）訂正事項１について
（ａ）訂正の目的
　本件特許請求の範囲の請求項１の「前記停止指令手段により前記所定の表示部における図柄の変動表示の停止が、前記所定の図柄範囲のうちの特定の図柄位置で指令された場合には、前記所定の図柄停止位置に前記第２図柄を停止する制御を行う一方で、所定の図柄範囲のうちの前記特定の図柄停止位置以外で指令された場合には、前記所定の図柄停止位置を除く図柄停止位置に前記第２図柄を停止する制御を行ない、」における「前記特定の図柄停止位置」は、当該「前記特定の図柄停止位置」の前に「特定の図柄停止位置」という記載はなく、不明瞭な記載となっていた。
　願書に添付した明細書には、「左のリールでの停止開始位置が「１０」である場合には、“赤チェリー”が左の表示窓４Ｌの上段の図柄停止位置に停止し、左のリールでの停止開始位置が「１１」〜「１３」のいずれかである場合には、“赤チェリー”が左の表示窓４Ｌの中段の図柄停止位置に停止する。」（段落【０１２８】参照。）と記載されている。
　この記載において、リールでの停止開始位置が「１０」の位置は、請求項１の「特定の図柄位置」に相当し、以下同様に、「上段の図柄停止位置」は、「所定の図柄停止位置」に、「赤チェリー」は、「第２図柄」に、リールでの停止開始位置が「１１」〜「１３」のいずれかの位置は、「特定の図柄位置以外」に、「中段の図柄停止位置」は、「所定の図柄停止位置を除く図柄停止位置」にそれぞれ相当する。
　よって、願書に添付した明細書に記載された事項は、表示部における図柄の変動表示の停止が、特定の図柄位置（「１０」）である場合には、所定の図柄停止位置（上段の図柄停止位置）に第２図柄（赤チェリー）を停止する、一方、特定の図柄位置以外（「１１」〜「１３」）で指令された場合には、前記所定の図柄停止位置を除く図柄停止位置（中段の図柄停止位置）に前記第２図柄を停止することであるといえる。
　訂正前の請求項１は、「所定の図柄停止位置を除く図柄停止位置に第２図柄を停止する制御を行な」う（中段の図柄停止位置に停止する）のは、所定の表示部における図柄の変動表示の停止が「前記特定の図柄停止位置以外で指令された場合」であったため、図柄位置の「１０」、「１１〜１３」ではなく、図柄停止位置（上段、中段等）で特定されていた。
　訂正事項１は、「所定の図柄停止位置を除く図柄停止位置に第２図柄を停止する制御を行な」う（中段の図柄停止位置に停止する）のは、「前記特定の図柄位置以外で指令された場合」（図柄位置が「１１」〜「１３」のいずれかである場合）であることを明瞭にするものであるから、明瞭でない記載の釈明を目的とするものである。
　
（ｂ）新規事項の有無及び特許請求の範囲の拡張又は変更について
　そして、訂正事項１は、上記のとおり、願書に添付した明細書等の記載に基づくものであるから、願書に添付した明細書等のすべてを総合することにより導かれる技術的事項との関係において新たな技術的事項を導入するものではなく、願書に添付した明細書等に記載した事項の範囲内においてされたものである。
　また、訂正の前後で特許請求の範囲に記載された発明の拡張又は変更はないから、実質上特許請求の範囲を拡張し、又は変更するものでもない。
　
　よって、訂正事項１は、特許法第１２６条第１項ただし書第３号に該当し、同法第１２６条第５項及び第６項の規定に適合するものである。
　
（２）訂正事項２について
　訂正事項２は、訂正事項１のとおりに訂正することに伴い、訂正された請求項１との整合を図るために、願書に添付した明細書のうち関連する発明の詳細な説明の記載を訂正するものであるから、明瞭でない記載の釈明を目的とするものである。
　そして、訂正事項２は、願書に添付した明細書等の範囲内においてされたものであり、実質上特許請求の範囲を拡張し、又は変更するものでもない。
　よって、訂正事項２は、特許法第１２６条第１項ただし書第３号に該当し、同法第１２６条第５項及び第６項の規定に適合するものである。
５　むすび
　以上のとおりであるから、本件審判請求に係る訂正は、特許法第１２６条第１項ただし書き第３号に掲げる事項を目的とし、かつ、同条第５項及び第６項の規定にも適合する。
　よって、結論のとおり審決する。